(57)【要約】【課題】患者の身体的負荷を軽減できる血圧測定装置を提供すること。【解決手段】脈波信号を取得する脈波信号取得手段３と、脈波信号に基づき血圧を測定する第１の血圧測定手段１７と、カフ５を用いて血圧を測定する第２の血圧測定手段７、９、１１、１７と、第２の血圧測定手段の測定値と、少なくとも、第２の血圧測定手段の測定前における第１の血圧測定手段の測定値とを用いて校正値を算出する校正値算出手段１７と、第１の血圧測定手段の測定値を、校正値を用いて校正する校正手段１７とを備えた血圧測定装置１であって、校正値算出手段は、第１の血圧測定手段で用いる脈波信号が、以下の条件Ａ、Ｂから選択される１以上の条件を充足することを条件として、第２の血圧測定手段の測定を実行することを特徴とする血圧測定装置。条件Ａ：脈波信号のＳＮＲが所定の閾値Ｔ１以上である。条件Ｂ：脈波信号から算出される特徴量のばらつきが所定の閾値Ｔ２以内である。【選択図】図１
2015047400.tif 000002
【特許請求の範囲】
【請求項１】
脈波信号を取得する脈波信号取得手段と、
前記脈波信号に基づき血圧を測定する第１の血圧測定手段と、
カフを用いて血圧を測定する第２の血圧測定手段と、
前記第２の血圧測定手段の測定値と、少なくとも、前記第２の血圧測定手段の測定前における前記第１の血圧測定手段の測定値とを用いて校正値を算出する校正値算出手段と、
前記第１の血圧測定手段の測定値を、前記校正値を用いて校正する校正手段と、
を備えた血圧測定装置であって、
前記校正値算出手段は、前記第１の血圧測定手段で用いる前記脈波信号が、以下の条件Ａ、Ｂから選択される１以上の条件を充足することを条件として、前記第２の血圧測定手段の測定を実行することを特徴とする血圧測定装置。
条件Ａ：前記脈波信号のＳＮＲが所定の閾値Ｔ１以上である。
条件Ｂ：前記脈波信号から算出される特徴量のばらつきが所定の閾値Ｔ２以内である。
【請求項２】
前記校正値算出手段は、前記第２の血圧測定手段の測定値と、前記第２の血圧測定手段の測定前後における前記第１の血圧測定手段の測定値とを用いて前記校正値を算出することを特徴とする請求項１に記載の血圧測定装置。
【請求項３】
前記第２の血圧測定手段の測定後において、前記脈波信号が前記条件Ａ、Ｂから選択される１以上の条件を充足しない場合、前記校正値算出手段は、前記第２の血圧測定手段の測定値と、前記第２の血圧測定手段の測定前における前記第１の血圧測定手段の測定値とを用いて前記校正値を算出することを特徴とする請求項２に記載の血圧測定装置。
【発明の詳細な説明】
【技術分野】
【０００１】
本発明は、血圧測定装置に関する。
【背景技術】
【０００２】
従来、脈波センサを用いて脈波信号を取得し、その脈波信号に基づき、血圧を推定する血圧測定装置が知られている。この血圧測定装置は、カフを使用するタイプの血圧測定装置に比べて、患者の身体的負荷が低いという長所を有する。
【０００３】
ただし、脈波信号に基づき推定した血圧値は、カフを用いて測定した値に比べて精度が低いことがある。そこで、同じ患者についての、脈波信号に基づき推定した血圧値と、カフを用いて測定した血圧値との差（校正値）を予め保存しておき、脈波信号に基づき推定した血圧値をその校正値を用いて校正する技術が提案されている（特許文献１参照）。
【先行技術文献】
【特許文献】
【０００４】
【特許文献１】特許第３３３００７９号公報
【発明の概要】
【発明が解決しようとする課題】
【０００５】
上記の校正値を算出するときには、脈波信号に基づき推定した血圧値と、カフを用いて測定した血圧値との両方が必要になる。
ところで、脈波センサで取得した脈波信号は種々の要因で不安定となることがある。この場合、脈波信号に基づく血圧値を正確に測定できないので、カフを用いた血圧測定を行ったとしても、結局、校正値を算出することはできない。その結果、カフを用いた血圧測定によって患者に身体的負荷をかけたものの、校正値は得られないということになってしまう。
【０００６】
本発明は以上の点に鑑みなされたものであり、上述した課題を解決できる血圧測定装置を提供することを目的とする。
【課題を解決するための手段】
【０００７】
本発明の血圧測定装置は、脈波信号を取得する脈波信号取得手段と、脈波信号に基づき血圧値を測定する第１の血圧測定手段とを備え、血圧値を測定することができる。また、本発明の血圧測定装置は、校正手段により、第１の血圧測定手段の測定値を、校正値を用いて校正することができる。このことにより、精度の高い測定値を得ることができる。
【０００８】
上述した校正値は、校正値算出手段により、カフを用いて血圧値を測定する第２の血圧測定手段の測定値と、少なくとも、第２の血圧測定手段の測定前における第１の血圧測定手段の測定値とを用いて算出されるものである。
【０００９】
上記の校正値算出手段は、第１の血圧測定手段で用いる脈波信号が、以下の条件Ａ、Ｂから選択される１以上の条件を充足することを条件として、第２の血圧測定手段の測定を実行することを特徴とする。
【００１０】
条件Ａ：脈波信号のＳＮＲ（信号に対するノイズの量を対数で表したパラメータ）が所定の閾値Ｔ１以上である。
条件Ｂ：脈波信号から算出される特徴量のばらつきが所定の閾値Ｔ２以内である。
【００１１】
本発明の血圧測定装置は、脈波信号が不安定である（条件Ａ、Ｂから選択される１以上の条件が充足されない）場合、第２の血圧測定手段の測定を実行しない。そのため、脈波信号が不安定であるために第１の血圧測定手段では血圧値が正確に測定できず、結局は校正値を正確に算出できない状態において、カフ測定（第２の血圧測定手段）を無駄に実行してしまうことを抑制できる。その結果、患者の身体的負荷を軽減できる。
【００１２】
前記校正値算出手段は、例えば、第２の血圧測定手段の測定値と、第２の血圧測定手段の測定前後における第１の血圧測定手段の測定値とを用いて校正値を算出することができる。この場合、一層正確な校正値を算出できる。
【００１３】
また、例えば、第２の血圧測定手段の測定後において、脈波信号が条件Ａ、Ｂから選択される１以上の条件を充足しない場合、校正値算出手段は、第２の血圧測定手段の測定値と、第２の血圧測定手段の測定前における第１の血圧測定手段の測定値とを用いて校正値を算出することができる。この場合、第２の血圧測定手段の測定後における第１の血圧測定手段の測定値（脈波信号が不安定であるため、不正確である可能性が高い測定値）を用いないので、一層正確な校正値を算出できる。
【図面の簡単な説明】
【００１４】
【図１】血圧測定装置１の構成を表すブロック図である。
【図２】血圧測定装置１の構成を表す斜視図である。
【図３】脈波センサ３の構成を表す説明図である。
【図４】血圧測定装置１が実行する校正値算出処理を表すフローチャートである。
【図５】血圧測定装置１が実行する血圧測定処理を表すフローチャートである。
【図６】校正値Ｋを表す説明図である。
【図７】血圧測定装置１が実行する校正値算出処理を表すフローチャートである。
【発明を実施するための形態】
【００１５】
本発明の実施形態を図面に基づき説明する。
＜第１の実施形態＞
１．血圧測定装置１の構成
血圧測定装置１の構成を図１〜図３に基づき説明する。血圧測定装置１は、図１に示すように、脈波センサ３、カフ５、ポンプ７、切換弁９、圧力センサ１１、ディスプレイ１３、校正スイッチ１５、センサスイッチ１６、制御部１７、及びスタートボタン１８を備える。
【００１６】
脈波センサ３は、図３に示すように、レンズ１９、発光部２１、受光部２３、基板２５、及びレンズ支持体２７を備える。
レンズ１９は、レンズ支持体２７の上面２７Ａにおける中央に設けられており、上下方向に光を透過可能である。発光部２１、及び受光部２３はレンズ１９の下方に位置し、基板２５上に設けられている。発光部２１は発光ダイオードから成り、緑色の光（５０００Å〜８０００Åの波長を含む光）を、レンズ１９を通して上方に照射する。なお、この光は、レンズ１９上に置かれた患者の指の毛細血管内で反射される。その反射光は、レンズ１９を通り、受光部２３で受光される。受光部２３はフォトダイオードであり、上記の光を受光したとき、電気信号（脈波信号）を出力する。
【００１７】
レンズ支持体２７は、下方が開放した略箱状の基本形態を有するとともに、その下端付近において、外側に張り出すフランジ部２７Ｂを有している。レンズ支持体２７のうち、フランジ部２７Ｂ以外の部分は、血圧測定装置１の筐体２９に設けられた矩形の開口部３１内にはめ込まれており、フランジ部２７Ｂは、開口部３１周辺の筐体２９の下側に潜り込んでいる。発光部２１、受光部２３、及び基板２５はレンズ支持体２７の内部に収容され、レンズ支持体２７に対する位置が一定となるように固定されている。
【００１８】
フランジ部２７Ｂの底面と後述する支持体３３との間にはバネ３５が設けられており、レンズ支持体２７を上方向に付勢している。そのため、レンズ支持体２７及びレンズ１９を患者の指で下向きに押圧していないときは、フランジ部２７Ｂが筐体２９の裏面に当接するまで、レンズ支持体２７は上方に押し上げられている。一方、レンズ支持体２７及びレンズ１９を患者の指で下向きに押圧すると、バネ３５が縮み、レンズ支持体２７は下方に移動する。
【００１９】
脈波センサ３の下方には、センサスイッチ１６が設けられている。センサスイッチ１６は、支持体３３、固定端子３７、可動端子３９、及び押圧片４１を備える。支持体３３は、その上面に固定端子３７及び可動端子３９を支持する。可動端子３９は可動であり、固定端子３７に接触する位置にも、非接触の位置にも移動することができる。固定端子３７と可動端子３９とが接触しているとき、センサスイッチ１６はＯＮであり、脈波センサ３は測定を実行し、脈波信号を出力する。一方、固定端子３７と可動端子３９とが非接触であるとき、センサスイッチ１６はＯＦＦである。
【００２０】
押圧片４１は、基板２５の下面から下方に突出する部材である。そのため、押圧片４１は、基板２５の上下動（すなわちレンズ支持体２７の上下動）にともなって上下動する。レンズ支持体２７の位置が上方である場合、押圧片４１も上方に位置し、可動端子３９は押し下げられず、固定端子３７と可動端子３９とは非接触となる（センサスイッチ１６はＯＦＦとなる）。
【００２１】
一方、レンズ支持体２７が患者の指で押し下げられたとき、押圧片４１の位置も下がり、押圧片４１が可動端子３９を固定端子３７の方向に押圧して両者を接触させ、センサスイッチ１６はＯＮとなる。
【００２２】
よって、患者が指でレンズ支持体２７及びレンズ１９を押し下げない状態においては、センサスイッチ１６はＯＦＦとなり、一方、患者が指でレンズ支持体２７及びレンズ１９を押し下げたとき、センサスイッチ１６はＯＮとなる。
【００２３】
図１に戻り、カフ５は、ゴム製袋を布製帯状袋内に収容した構造を有し、患者の上腕部に巻き回すことができる。ポンプ７は、空気配管１０１を通して、カフ５内に空気を供給する。切換弁９は、カフ５内への空気の供給を許容する状態と、カフ５内を徐々に排圧する状態と、カフ５内を急速に排圧する状態との間で切り換えることができる。圧力センサ１１はカフ５内の圧力を検出する。
【００２４】
ディスプレイ１３は周知の液晶ディスプレイであり、種々の画像を表示可能である。校正スイッチ１５は、ＯＮとＯＦＦとのうちの一方を設定できるスイッチである。校正スイッチ１５がＯＮの場合、後述する校正値算出処理が実行される。校正値算出処理の詳細については後述する。また、校正スイッチ１５がＯＦＦの場合、通常の血圧測定処理が実行される。
【００２５】
制御部１７は、ＣＰＵ、ＲＯＭ、ＲＡＭ（いずれも図示略）等を備える周知のコンピュータであり、脈波センサ３の各部を制御し、後述する処理を実行する。スタートボタン１８は、使用者（患者を含む）が押圧可能なボタンである。スタートボタン１８が押圧されると、後述する校正値算出処理、又は血圧測定処理が開始される。
【００２６】
血圧測定装置１は、図２に示す外観を有する。脈波センサ３、校正スイッチ１５、及びディスプレイ１３は筐体２９の上面に設けられている。また、筐体２９の側面から、カフ５に至る空気配管１０１が導出されている。血圧測定装置１におけるその他の構成は筐体２９内に収容されている。
【００２７】
なお、脈波センサ３は脈波信号取得手段の一実施形態である。制御部１７は、第１の血圧測定手段、校正値算出手段、及び校正手段の一実施形態である。カフ５、ポンプ７、切換弁９、圧力センサ１１、及び制御部１７は、第２の血圧測定手段の一実施形態である。
【００２８】
２．血圧測定装置１が実行する校正値算出処理
血圧測定装置１が実行する校正値算出処理を、図４のフローチャートに基づき説明する。校正値算出処理は、校正スイッチ１５がＯＮの状態で、スタートボタン１８が押圧されたときに実行される。なお、校正値算出処理の実行前に、予めカフ５を患者の上腕に巻き回しておく。
【００２９】
図４のステップ１では、ディスプレイ１３に表示Ａを表示する。この表示Ａは、「校正を開始します。脈波センサに指をのせてください。」という文字の表示である。なお、この表示に応じて、患者は指を脈波センサ３にのせることができる。
【００３０】
ステップ２では、脈波センサ３を用いて脈波信号を取得する。
ステップ３では、前記ステップ２で取得した脈波信号が安定しているか否かを判断する。具体的には、以下の条件Ａ、Ｂが充足されるか否かをそれぞれ判断する。
【００３１】
条件Ａ：脈波信号のＳＮＲが所定の閾値Ｔ１以上である。
条件Ｂ：脈波信号から算出される特徴量のばらつきが所定の閾値Ｔ２以内である。
ここで、条件Ｂにおける特徴量とは、例えば、駆出波のピーク、反射波の立ち上がり点、反射波のピークなどの高さや時間である。また、ばらつきとは、脈波信号における１拍ごとにそれぞれ、特徴量を算出したとき、各拍の特徴量のばらつきを意味する。任意の時間間隔でのｔ個の特徴量（X1,X2,X3,・・・,Xt）が得られた場合の特徴量のばらつきの大きさＴ３は、以下の数式１で表される。
【００３２】
【数１】
2015047400.tif 000003
【００３３】
次に、条件Ａ、Ｂの両方が充足されているならば、脈波信号が安定していると判断し、ステップ５に進む。一方、条件Ａ、Ｂのうちの一方でも充足されていないならば、脈波信号が安定していないと判断し、ステップ４に進む。ステップ４では、ディスプレイ１３に表示Ｂを表示する。この表示Ｂは「脈波センサからの信号が不安定です。適切に指をのせているか確認して下さい。」という文字の表示である。ステップ４の表示後、ステップ２に戻る。
【００３４】
ステップ５では、前記ステップ２で取得した脈波信号に基づき血圧値を測定する。具体的には、脈波信号から、特徴量を算出し、その特徴量を血圧推定モデルにあてはめ、血圧の測定値を得る。なお、本ステップ５で用いる脈波信号は、前記ステップ３で安定していると判断された脈波信号である。
【００３５】
ステップ６では、ディスプレイ１３に表示Ｃを表示する。この表示Ｃは、「カフを圧迫します。圧迫終了後も脈波センサに指をのせていて下さい。」という文字の表示である。
ステップ７では、カフ５を用いて血圧を測定する。この測定には周知の方法を適宜用いることができ、例えば、次の方法を用いることができる。カフ５の圧迫圧力を変化させ、その圧迫圧力の変化過程において発生する脈波の大きさの変化に基いて患者の血圧を自動的に測定する。すなわち、カフ５の圧迫圧力を所定の目標値（例えば１８０ｍｍＨｇ程度）まで急速昇圧させた後に３ｍｍＨｇ／ｓｅｃ程度の速度で徐速降圧してゆく徐速降圧期間内において、順次採取される脈波信号が表す脈波の振幅の変化に基づきオシロメトリック法を用いて最高血圧、最低血圧等を決定する。
【００３６】
ステップ８では、前記ステップ２と同様に、脈波センサ３を用いて脈波信号を取得する。
ステップ９では、前記ステップ８で取得した脈波信号が安定しているか否かを判断する。この判断の方法は、前記ステップ３と同様である。脈波信号が安定している場合はステップ１１に進む。一方、脈波信号が安定していない場合はステップ１０に進み、ディスプレイ１３に表示Ｂを表示してから、ステップ８に戻る。
【００３７】
ステップ１１では、前記ステップ８で取得した脈波信号に基づき血圧を測定する。その測定方法は前記ステップ５と同様である。
ステップ１２では、前記ステップ５、１１における血圧測定結果が妥当であるか否かを判断する。具体的には、前記ステップ５における測定値と、前記ステップ１１における測定値との差の絶対値を算出し、その差の絶対値が所定の閾値以下であれば、血圧測定結果が妥当であると判断し、ステップ１３に進む。一方、差の絶対値が閾値を超える場合は血圧測定結果が妥当ではないと判断し、本処理を終了する。
【００３８】
ステップ１３では、前記ステップ５、１１における測定値と、前記ステップ７における測定値とを用いて、校正値Ｋを算出する。具体的には、以下の数式２により、校正値Ｋを算出する。ここで、ａは前記ステップ５における測定値であり、ｂは前記ステップ７における測定値であり、ｃは前記ステップ１１における測定値である。
【００３９】
【数２】
2015047400.tif 000004
【００４０】
算出された校正値Ｋは、制御部１７が備える記憶装置（図示略）に記憶され、後述する血圧測定処理において使用される。既に校正値Ｋが記憶されていた場合は、新たな校正値Ｋで上書きする。
【００４１】
ステップ１４では、ディスプレイ１３に表示Ｄを表示する。この表示Ｄは、「校正を終了します。」という文字の表示である。その後、本処理を終了する。
３．血圧測定装置１が実行する血圧測定処理
血圧測定装置１が実行する血圧測定処理を図５のフローチャートを用いて説明する。血圧測定処理は、校正スイッチ１５がＯＦＦの状態で、スタートボタン１８が押圧されたときに実行される。
【００４２】
ステップ２１では、ディスプレイ１３に表示Ｅを表示する。この表示Ｅは、「血圧測定を開始します。脈波センサに指をのせて下さい。」という文字の表示である。なお、この表示に応じて、患者は指を脈波センサ３にのせることができる。
【００４３】
ステップ２２では、脈波センサ３を用いて脈波信号を取得する。
ステップ２３では、前記ステップ２２で取得した脈波信号に基づき血圧を測定する。その測定方法は前記ステップ５、１１と同様である。
【００４４】
ステップ２４では、制御部１７に校正値Ｋが記憶されているか否かを判断する。記憶されている場合はステップ２５に進み、記憶されていない場合はステップ２７に進む。
ステップ２６では、前記ステップ２３で測定した血圧を、校正値Ｋを用いて校正する。具体的には、前記ステップ２３で測定した血圧から校正値Ｋを差し引き、差し引いた後の値を校正後の血圧値とする。
【００４５】
ステップ２７では、前記ステップ２６で算出した、校正後の血圧値をディスプレイ１３に表示する。その後、本処理を終了する。
一方、前記ステップ２４で否定判断した場合はステップ２７に進み、前記ステップ２３で測定した値を（校正することなく）ディスプレイ１３に表示する。このとき、ディスプレイ１３には、表示中の値は校正されていないことを表示する。その後、本処理を終了する。
【００４６】
４．血圧測定装置１が奏する効果
（１）血圧測定装置１は、校正値Ｋを算出することができる。この校正値Ｋの概念を図６に示す。図６において、ｔａは前記ステップ２において脈波信号を取得した期間であり、ｔｂは前記ステップ７においてカフ測定を行った期間であり、ｔｃは前記ステップ８において脈波信号を取得した期間である。また、ａは前記ステップ５における測定値であり、ｂは前記ステップ７における測定値であり、ｃは前記ステップ１１における測定値である。
【００４７】
血圧測定装置１は、血圧を測定するとき、校正値Ｋを用いて校正することで、正確な血圧を得ることができる。
（２）血圧測定装置１は、前記ステップ２で取得した脈波信号が安定していることを条件として、前記ステップ７のカフ測定に進む。すなわち、前記ステップ２で取得した脈波信号が安定していなければ、前記ステップ７のカフ測定は実行しない。
【００４８】
そのため、前記ステップ２で取得した脈波信号に基づく血圧値が正確に取得できず、結局は校正値を正確に算出できない状態において、カフ測定を無駄に実行してしまうことを抑制できる。その結果、患者の身体的負荷を軽減できる。
【００４９】
（３）カフ測定では上腕を圧迫するため、カフ測定の後、反応性充血により、正常な脈波信号を取得できないことがある。血圧測定装置１は、カフ測定後の前記ステップ９、１１において、脈波信号が安定していることを条件として、脈波信号に基づき血圧を測定するので、正常でない脈波信号に基づき血圧を測定してしまうことを抑制できる。
【００５０】
（４）血圧測定装置１は、前記ステップ２〜５、８〜１１において、脈波信号が安定するまで待ってから、安定した脈波信号に基づき血圧を測定することができる。そのため、血圧を正確に測定することができる。
【００５１】
（５）血圧測定装置１は、前記ステップ１２、１３において、血圧測定結果が妥当であることを条件として校正値Ｋを算出するので、一層正確な校正値Ｋを得ることができる。
＜第２の実施形態＞
１．血圧測定装置１の構成
本実施形態の血圧測定装置１の構成は前記第１の実施形態と同様である。
【００５２】
２．血圧測定装置１が実行する校正値算出処理
血圧測定装置１が実行する校正値算出処理を、図７のフローチャートに基づき説明する。校正値算出処理は、校正スイッチ１５がＯＮの状態で、スタートボタン１８が押圧されたときに実行される。なお、校正値算出処理の実行前に、予めカフ５を患者の上腕に巻き回しておく。
【００５３】
図７のステップ３１では、ディスプレイ１３に表示Ａを表示する。この表示Ａは、「校正を開始します。脈波センサに指をのせてください。」という文字の表示である。なお、この表示に応じて、患者は指を脈波センサ３にのせることができる。
【００５４】
ステップ３２では、脈波センサ３を用いて脈波信号を取得する。
ステップ３３では、前記ステップ３２で取得した脈波信号が安定しているか否かを判断する。その判断方法は前記第１の実施形態における前記ステップ３と同様である。脈波信号が安定している場合はステップ３５に進み、安定していない場合はステップ３４に進む。ステップ３４では、ディスプレイ１３に表示Ｂ（「脈波センサからの信号が不安定です。適切に指をのせているか確認して下さい。」という文字の表示）を表示してから、ステップ３２に戻る。
【００５５】
ステップ３５では、前記ステップ３２で取得した脈波信号に基づき血圧を測定する。その測定方法は、前記第１の実施形態における前記ステップ５と同様である。
ステップ３６では、ディスプレイ１３に表示Ｃ‘（「カフを圧迫します。」という文字の表示）を表示する。
【００５６】
ステップ３７では、カフ５を用いて血圧を測定する。この測定方法は、前記第１の実施形態における前記ステップ７と同様である。
ステップ３８では、前記ステップ３５、３７における測定値を用いて、校正値Ｋを算出する。具体的には、以下の数式３により、校正値Ｋを算出する。ここで、ａは前記ステップ３５における測定値であり、ｂは前記ステップ３７における測定値である。
【００５７】
【数３】
2015047400.tif 000005
【００５８】
算出された校正値Ｋは、制御部１７が備える記憶装置（図示略）に記憶される。既に校正値Ｋが記憶されていた場合は、新たな校正値Ｋで上書きする。
ステップ３９では、ディスプレイ１３に表示Ｄ（「校正を終了します。」という文字の表示）を表示する。その後、本処理を終了する。
【００５９】
３．血圧測定装置１が実行する血圧測定処理
本実施形態の血圧測定装置１は、前記第１の実施形態の場合と同様に、血圧測定処理を実行する。
【００６０】
４．血圧測定装置１が奏する効果
（１）本実施形態の血圧測定装置１は、前記第１の実施形態の場合と略同様の効果を奏することができる。
【００６１】
（２）本実施形態の血圧測定装置１は、カフ測定の後には、脈波信号に基づく血圧測定を行わないので、校正値算出処理を簡素化することができる。
＜その他の実施形態＞
（１）前記第１の実施形態において、前記ステップ９で否定判断が所定時間以上継続した場合は、ステップ１３に進み、校正値Ｋを算出してもよい。この場合の校正値Ｋは、前記ステップ５で測定した値から、前記ステップ７で測定した値を差し引いた値とする。
【００６２】
（２）前記第１の実施形態における前記ステップ３、９、及び前記第２の実施形態における前記ステップ３３において、条件Ａのみの充足／非充足を判断し、条件Ａが充足されていれば肯定判断し、条件Ａが充足されていなければ否定判断するようにしてもよい。
【００６３】
また、前記第１の実施形態における前記ステップ３、９、及び前記第２の実施形態における前記ステップ３３において、条件Ｂのみの充足／非充足を判断し、条件Ｂが充足されていれば肯定判断し、条件Ｂが充足されていなければ否定判断するようにしてもよい。
【００６４】
（３）条件Ｂにおける特徴量は、その他に、脈波形状を微分した速度脈波および脈波形状を２回微分した加速度脈波のピークの高さや時間等であってもよい。また、条件Ｂにおける特徴量のばらつきは、数式１以外の方法で表されるものであってもよく、例えば、特徴量の最低値と最高値の差から得られる特徴量変化幅などが挙げられる。
【００６５】
（４）前記第１、第２の実施形態における構成の一部又は全部を適宜組み合わせてもよい。
【符号の説明】
【００６６】
１…血圧測定装置、３…脈波センサ、５…カフ、７…ポンプ、９…切換弁、１１…圧力センサ、１３…ディスプレイ、１５…校正スイッチ、１６…センサスイッチ、１７…制御部、１８…スタートボタン、１９…レンズ、２１…発光部、２３…受光部、２５…基板、２７…レンズ支持体、２７Ａ…上面、２７Ｂ…フランジ部、２９…筐体、３１…開口部、３３…支持体、３５…バネ、３７…固定端子、３９…可動端子、４１…押圧片、１０１…空気配管
【図１】
2015047400.tif 000006
【図２】
2015047400.tif 000007
【図３】
2015047400.tif 000008
【図４】
2015047400.tif 000009
【図５】
2015047400.tif 000010
【図６】
2015047400.tif 000011
【図７】
2015047400.tif 000012